(57)【要約】      （修正有）【課題】座感を改良し、且つ耐久性を高めた折り畳み椅子を提供する。【解決手段】枠状金属パイプからなる座枠１１及び背枠１２を備え、背枠１２が回動起立自在となるように設けたフレーム体１の表面側に、クッション座部３及びクッション背部４を設けて構成した折り畳み座椅子において、クッション座部３及びクッション背部４が中硬度チップウレタンからなる下層クッション３１，４１と軟質ウレタンフォームからなる上層クッション３２，４２の積層体で形成されると共に、座枠１１の表面側全体と前記クッション座部３の間に１〜３ｃｍ厚の発泡ポリエチレンシート２を介装してなる。【選択図】図２
0003204794.tif 000002
【実用新案登録請求の範囲】
【請求項１】
枠状金属パイプからなる座枠及び背枠を備え、背枠が回動起立自在となるように設けたフレーム体の表面側に、クッション座部及びクッション背部を設けて構成した折り畳み座椅子において、クッション座部及びクッション背部が中硬度チップウレタンからなる下層クッションと軟質ウレタンフォームからなる上層クッションの積層体で形成されると共に、座枠の表面側全体と前記クッション座部の間に１〜３ｃｍ厚の発泡ポリエチレンシートを介装してなることを特徴とする折り畳み座椅子。
【請求項２】
クッション座部とクッション背部の各下層クッションの厚さを３〜５ｃｍとし、各上層クッションを中間クッション部と被覆クッション部で構成し、中間クッション部が２〜４ｃｍ厚の細幅で、下層クッションの表面所定位置に配置すると共に、被覆クッション部が０．５〜１．５ｃｍ厚で、前記中間クッション部を含む下層クッション部の表面全体を覆い、上層クッション部表面を凹凸クッション面としてなる請求項１記載の折り畳み座椅子。
【考案の詳細な説明】
【技術分野】
【０００１】
本考案は、折り畳み座椅子に関するものである。
【背景技術】
【０００２】
折り畳み座椅子は、種々の構造のものが知られているが、一般的に多用されている構造は、金属パイプで形成した座部及び背もたれ部の枠杆を、回動可能に且つ所望の角度で保持できるように連結して芯体となるフレーム体を形成し（特許文献１，２）、前記フレーム体を適宜なクッション材で被覆して構成しているものである。またクッション材としてはウレタンフォームが一般的に採用されている（特許文献３）。
【先行技術文献】
【特許文献】
【０００３】
【特許文献１】実開平６−５５４８号公報。
【特許文献２】特開２００３−１７４９４７号公報。
【特許文献３】特開２００４−２３６９８７号公報。
【考案の概要】
【考案が解決しようとする課題】
【０００４】
ウレタンフォームをクッション材として採用した場合には、体重が加わることで座面が沈んでしまい必ずしも座り心地が良いとは言えず、また経年変化によってへたってしまう。そこで本考案は座り心地を改善した新規な折り畳み座椅子を提案したものである。
【課題を解決するための手段】
【０００５】
本考案の請求項１記載に係る折り畳み座椅子は、枠状金属パイプからなる座枠及び背枠を備え、背枠が回動起立自在となるように設けたフレーム体の表面側に、クッション座部及びクッション背部を設けて構成した折り畳み座椅子において、クッション座部及びクッション背部が中硬度チップウレタンからなる下層クッションと軟質ウレタンフォームからなる上層クッションの積層体で形成されると共に、座枠の表面側全体と前記クッション座部の間に１〜３ｃｍ厚の発泡ポリエチレンシートを介装してなることを特徴とするものである。
【０００６】
而して上記の折り畳み座椅子は、中硬度チップウレタンの下層クッションと軟質ウレタンフォームの上層クッションの積層体であるクッション座部と、金属パイプ製の座枠の間に発泡ポリエチレンシートが存在することで、防振性及び衝撃吸収性が改善され座感性が良好となり、且つ経年変化によるヘタレが生じ難くなったものである。
【０００７】
また本考案の請求項２記載に係る折り畳み座椅子は、クッション座部とクッション背部の各下層クッションの厚さを３〜５ｃｍとし、各上層クッションを中間クッション部と被覆クッション部で構成し、中間クッション部が２〜４ｃｍ厚の細幅で、下層クッションの表面所定位置に配置すると共に、被覆クッション部が０．５〜１．５ｃｍ厚で、前記中間クッション部を含む下層クッション部の表面全体を覆い、上層クッション部表面を凹凸クッション面としてなるもので、中間クッション部による凹凸位置や凹凸程度を適宜設定することで、柔軟で且つ所望の座感及び背もたれ感が得られる座椅子とすることができる。
【考案の効果】
【０００８】
本考案の構成は上記のとおりで、金属パイプ製のフレーム体とクッション座部との間に発泡ポリエチレンシートを介装したもので、防振性と軽量化が同時に実現できたと共に、経年変化によるヘタリを少なくして耐久性も高めたものである。
【図面の簡単な説明】
【０００９】
【図１】本考案の実施形態の全体斜視図。
【図２】同全体の分解説明図。
【図３】同要部分解斜視図。
【考案を実施するための形態】
【００１０】
次に本考案の実施形態について説明する。実施形態に示した折り畳み座椅子は、フレーム体１、発泡ポリエチレンシート２、クッション座部３、クッション背部４、底面被覆クッション５とカバー布６で形成される。
【００１１】
フレーム体１は、従前のものと同一構造で、金属パイプで形成した座枠１１及び背もたれとなる背枠１２を、背枠１２が回動起立自在で且つ所定の角度で固定されるギア連結部１３で連結され、ギア連結部１３の表裏には保護シート１４を配置し、且つ座枠１１及び背枠１２の枠杆の間に複数のバント１５（ＰＰ製）を巻回装着したものである。尚前記ギア連結部１３が背もたれ角度調整機能を備えるものでも良い。
【００１２】
発泡ポリエチレンシート２は、座枠１１の全体を覆う大きさで、厚さ１〜３ｃｍで、１８ｋｇ／ｍ３程度の密度を備えた材質を採用したものである。
【００１３】
クッション座部３及びクッション背部４は、下層クッション３１，４１と上層クッション３２，４２の積層体で形成されるもので、下層クッション３１，４１は、座枠１１及び背枠１２の大きさで厚さ３〜５ｃｍの中硬度チップウレタン（５０ｋｇ／ｍ３程度）からなる。
【００１４】
上層クッション３２，４２は、厚さ２〜４ｃｍの軟質ウレタンフォーム（１１ｋｇ／ｍ３程度）の細幅の中間クッション部３３，４３と、同材質で０．５〜１．５ｃｍの被覆クッション部３４，４４で構成される。
【００１５】
クッション座部３の中間クッション部３３は、クッション座部３の端縁に配置され、クッション背部４の中間クッション部４３は、端部と中間位置（頭当接位置と腰当接位置）に配置し、全体を被覆クッション部３４，４４で被覆する。
【００１６】
更にフレーム体１の底面全体（座枠１１の底面と背枠１２の背面）を前記被覆クッション部３４，４４と同一材の底面被覆クッション５で覆い、全体をカバー布６で包んでなる。
【００１７】
而して前記の折り畳み椅子は従前の物と同様に、背もたれ起立状態及び背もたれ倒伏状態（倒伏角度を設定可能とする）を選択でき、使用に供されるもので、特に座枠１１とクッション座部３との間に発泡ポリエチレンシート２を介装し、座感を改良したものである。
【符号の説明】
【００１８】
１      レーム体
１１    座枠
１２    背枠
１３    ギア連結部
１４    保護シート
１５    バント
２      発泡ポリエチレンシート
３      クッション座部
４      クッション背部
３１，４１    下層クッション
３２，４２    上層クッション
３３，４３    中間クッション部
３４，４４    被覆クッション部
５      底面被覆クッション
６      カバー布
【図１】
0003204794.tif 000003
【図２】
0003204794.tif 000004
【図３】
0003204794.tif 000005